(57)【特許請求の範囲】
【請求項１】
利用者の上半身を起こすことができるベッド装置において、
ベッドフレ−ムと、
このベッドフレ−ムの長手方向に沿って複数の床板部に分割され、隣り合う床板部が互いに回動自在に連結されるとともに中央部分に位置する床板部が上記ベッドフレ−ムに固定された床板体と、
この床板体の上記ベッドフレ−ムに固定された固定床板部の一端側に回動自在に連結された可動床板部を起伏駆動する背上げ駆動機構と、
上記床板体上に載置されるとともに長手方向に沿って伸縮自在に形成されたマットレス体と、
上記可動床板部に設けられこの可動床板部を起立方向に回動させたときに上記マットレス体を上昇方向へ引張って伸長させ倒伏方向へ回動させたときには縮小方向へスライドさせるスライド手段と
を具備したことを特徴とするベッド装置。
【請求項２】
ベッド装置の床板上に載置されるマットレス装置において、
板状の芯材およびこの芯材を被覆した外装地からなり、上記芯材の長手方向中途部には蛇腹状の伸縮部が幅方向全長にわたって形成され、上記外装地は上記伸縮部とともに伸縮する構成であることを特徴とするマットレス装置。
【請求項３】
上記背上げ駆動機構は、上記可動床板部の下面の長手方向に沿って設けられたガイド部材と、先端部に上記ガイド部材に転動自在に係合したローラを有し、駆動装置によって起伏駆動されることで上記ローラを介して上記可動床板部を起伏させるアームと備え、
上記スライド手段は、上記可動床板部の上面の長手方向に沿って設けられ両端部が上記可動床板部の下面側に導かれた帯状部材と、この帯状部材と上記マットレス体とを連結した第１の連結手段と、上記帯状部材と上記ローラとを連結し上記アームを起伏駆動して上記可動床板部を起伏させる際に上記ガイド部材を転動する上記ローラの動きに連動させて上記帯状部材を上記可動床板部に沿って移動させて上記マットレス体を上記第１の連結手段を介して伸縮させる連結部材とを備えていることを特徴とする請求項１記載のベッド装置。
【請求項４】
上記マットレス体は、板状の芯材およびこの芯材を被覆した外装地からなり、上記芯材の長手方向中途部には芯材の厚さ方向に連結部を残す深さでスリットを所定間隔で交互に切り込むことで伸縮可能な蛇腹状の伸縮部が形成され、上記外装地は上記伸縮部とともに伸縮する構成であることを特徴とする請求項１記載のベッド装置。
【発明の詳細な説明】
【０００１】
【発明の属する技術分野】
この発明は自力で起き上がることが困難な利用者を介護するのに好適するベッド装置に関する。
【０００２】
【従来の技術】
たとえば、自力で身体を自由に動かすことが困難な利用者がベッド装置に仰臥している場合、その利用者に対して種々の介護を行わなければならない。その１つとして定期的に下着を着替えさせるということが行われている。
【０００３】
利用者の上半身の下着の交換などを容易に行えるようにするために、背上げ機構を備えたベッド装置が用いられる。その場合、ベッド装置には、互いに回動自在に連結された複数の床板部からなる床板体が設けられ、この床板体にマットレス装置が載置される。
【０００４】
そして、上記背上げ機構を作動させると、利用者の上半身に対応する床板部が起上方向に駆動されるから、それによって利用者の上半身がマットレス装置を介して起こされることになる。
【０００５】
床板部を起上させると、マットレス装置は湾曲される。マットレス装置は所定の厚さ寸法を有するから、湾曲されることで、その上面には圧縮力が発生し、下面には引張力が発生する。マットレス装置の上面に圧縮力が発生すると、その圧縮力によって利用者の腰部がマットレス装置の湾曲した部分に包み込まれて圧迫される。
【０００６】
利用者が自力によって腰部をマットレス装置から浮き上がらせることができれば、その圧迫状態を解除することができるが、自力で身体を自由に動かすことが困難な利用者の場合にはマットレス装置による腰部の圧迫状態を解除することができないため、不快感が増大するということがある。
【０００７】
【発明が解決しようとする課題】
このように、背上げ機構を備えたベッド装置を用いて利用者の上半身を起こすようにした場合、背上げ時に湾曲するマットレス装置の上面に発生する圧縮力で利用者の腰部が圧迫されるから、利用者に不快感を与えるということがあった。
【０００８】
この発明は背上げ駆動機構を備えたベッド装置を用いて利用者の上半身を起こすようにした場合、背上げ時に利用者の腰部が圧迫されることがないようにしたベッド装置を提供することにある。
【０００９】
【課題を解決するための手段】
請求項１の発明は、利用者の上半身を起こすことができるベッド装置において、
ベッドフレ−ムと、
このベッドフレ−ムの長手方向に沿って複数の床板部に分割され、隣り合う床板部が互いに回動自在に連結されるとともに中央部分に位置する床板部が上記ベッドフレ−ムに固定された床板体と、
この床板体の上記ベッドフレ−ムに固定された固定床板部の一端側に回動自在に連結された可動床板部を起伏駆動する背上げ駆動機構と、
上記床板体上に載置されるとともに長手方向に沿って伸縮自在に形成されたマットレス体と、
上記可動床板部に設けられこの可動床板部を起立方向に回動させたときに上記マットレス体を上昇方向へ引張って伸長させ倒伏方向へ回動させたときには縮小方向へスライドさせるスライド手段と
を具備したことを特徴とする。
【００１１】
請求項１の発明によれば、マットレス体が伸縮自在に形成され、可動床板部の起伏に応じて上記マットレス体を伸縮させるため、背上げ時にはマットレス体が伸長させられることで湾曲する部分が利用者の腰部を包み込んで圧迫するのを防止でき、倒伏時には利用者の荷重に抗して縮小されるため、マットレス体をもとの状態に戻すことができる。
【００１３】
【実施の形態】
以下、この発明の一実施の形態を図面を参照して説明する。図１は背上げ式のベッド装置を示し、このベッド装置はベ−スフレ−ム１を備えている。このベ−スフレ−ム１はストッパ付きのキャスタ２によって移動自在かつ所定の位置で移動不能にロックできるようになっている。
【００１４】
上記ベ−スフレ−ム１上には一端にヘッドボ−ド３ａ、他端にフットボ−ド３ｂを有するベッドフレ−ムとしての上下フレ−ム３が上下動可能に設けられ、この上下フレ−ム３上には床板体４が配設されている。
【００１５】
上記床板体４は上下フレ−ム３の長手方向に沿って５つの床板部に分割されている。つまり、長手方向中央部分は上記上下フレ−ム３に固定される固定床板部５ａとなっていて、この固定床板部５ａの一端側には腰床板部５ｂと背床板部５ｃとが順次回動自在に連結され、他端側には第１の脚床板部５ｄと第２の脚床板部５ｅとが順次回動自在に連結されている。
【００１６】
上記上下フレ−ム３には駆動装置１１が設けられている。この駆動装置１１はケ−ス１２を有し、このケ−ス１２の一側には駆動モ−タ１３が設けられている。上記ケ−ス１２のヘッドボ−ド３ａ側の一端部には第１の駆動軸１６が設けられ、フットボ−ド５ｂ側の他端部には第２の駆動軸１７が設けられている。
上記第１の駆動軸１６と第２の駆動軸１７とは上記駆動モ−タ１５が作動することで図中矢印で示す方向に回動されるようになっている。
【００１７】
上記第１の駆動軸１６には第１のア−ム１８の一端が固着され、上記第２の駆動軸１７には第２のア−ム１９の一端が固着されている。第１のア−ム１８の他端部には図２に示すように一対の第１のロ−ラ２１が回転自在に設けられ、これら第１のロ−ラ２１は上記背床板部５ｃの背面に設けられた断面コ字状のガイド部材２２に転動自在に係合している。上記第２のア−ム１９の他端部には第２のロ−ラ２３が回転自在に設けられ、この第２のロ−ラ２３は上記第１の脚床板部５ｄの下面に接触するようになっている。
【００１８】
上記駆動モ−タ１５の作動により、第１のア−ム１８が起立方向に駆動されると、上記背床板部５ｃが第１のロ−ラ２１によって押圧されて起立方向に回動するとともに、この背床板部５ｃの回動に腰床板部５ｂが連動するようになっている。
【００１９】
上記駆動モ−タ１３の作動により、第２のア−ム１９が起立方向に駆動されると、第２のロ−ラ２３によって第１の脚床板部５ｄが固定床板部５ａとの連結端を支点として上昇方向に回動する。この第１の脚床板部５ｄの上昇に第２の脚床板部５ｅが連動するから、これら脚床板部５ｄ、５ｅがほぼへの字状に屈曲することになる。
【００２０】
上記床板体５の上面にはマットレス装置としてのマットレス体３１が載置されている。このマットレス体３１は上記床板体５の各床板部が起伏駆動されることで、その起伏駆動に応じて湾曲されるようになっていて、起伏時には上記背床板部５ｃに設けられた後述するスライド機構によって伸縮されるようになっている。
【００２１】
上記マットレス体３１は矩形板状の芯材３２が袋状に形成された外装地３３によって被覆されている。上記芯材３２は、たとえば繊維をからめて所定の厚さを有する不織布からなる。不織布を形成する繊維としては、天然繊維、無機繊維、再生繊維もしくは合成繊維などが用いられ、具体的にはポリエステル繊維やポレオレフィン系繊維が好ましい。
【００２２】
上記芯材３２の長手方向中途部には伸縮部３４が幅方向全長にわたって形成されている。この伸縮部３４は、図２（ｃ）に示すように芯材３２の上面側と下面側が芯材３２の厚さ方向に連結部３５ａを残す深さでスリット３５を所定間隔で交互に切り込むことで伸縮可能な蛇腹状に形成されてなる。
【００２３】
したがって、芯材３２に長手方向に沿う引張り力を加えることで、上記伸縮部３４が伸長し、引張り力を除去すれば縮小するようになっている。なお、スリット３５の先端には応力が集中して芯材３２が裂けるの防止するための円孔３５ｂが設けられている。
【００２４】
上記芯材３２を被覆した外装地３３は上記伸縮部３４の伸縮に応じて伸縮できる布地によって形成されている。なお、外装地３３は、全体を伸縮可能な布地で形成してもよいが、伸縮部３４に対応する部分だけを伸縮できる布地で形成するようにしてもよい。
【００２５】
上記外装地３３の一端面には図５に示すようにファスナ３５が設けられ、このファスナ３５を開くことで、内部の芯材３２を出し入れできるようになっている。
【００２６】
上記マットレス体３１の下面の長手方向一端部の幅方向両端部にはそれぞれ帯状の第１のベルベットファスナ４１がベルト４２に取付けられている。つまり、図３に示すようにマットレス体３１の芯材３２には厚さ方向に貫通する一対のスリット溝４３が穿設され、上記ベルト４２はこの溝４３に通されて芯材３２に巻着されている。そして、ベルト４２のマットレス体３１の下面側に位置する部分は外装地３３に形成された通孔３３ａから外部に露出されていて、その露出部分に上記第１のベルベットファスナ４１が縫着等の手段によって取付けられている。
【００２７】
一対の第１のベルベットファスナ４１は、図３に示すように上記背床板部５ｃ側に設けられた第２のベルベットファスナ４４にそれぞれ着脱自在に係着される。上記第１のベルベットファスナ４１と第２のベルベットファスナ４４とで第１の連結手段を構成している。
【００２８】
上記第２のベルベットファスナ４４はキャンバスなどの比較的丈夫な布地からなる帯状部材４５に縫着などの手段で取付けられている。この帯状部材４５は、一端側が上記背床板部５ｃの長手方向一端部に形成されたガイド孔４６に通されて下面側に導かれ、他端側は上記背床板部５ｃの長手方向他端の凹部４７（図４に示す）に係合して下面側に導かれている。
【００２９】
上記第１の連結手段は第１のベルベットファスナ４１と第２のベルベットファスナ４４に限られず、上記外装地３３と帯状部材４５とをたとえば縫着するなどしてもよく、要は上記外装地３３と帯状部材４５とを結合できればよい。
【００３０】
なお、上記ガイド孔４６と上記凹部４７には、それぞれ帯状部材４５が片寄らないようにガイドするためのガイド部材４６ａ、４７ａが設けられている。
上記帯状部材４５の一端側と他端側とは帯状の連結鋼板５１の一端部と他端部とに連結されている。この連結鋼板５１の一端部は上記駆動装置１１の第１の起上ア−ム１８の先端部の内面側に取付けられた第２の連結手段となる連結部材５２にねじ５３によって固定されている。この連結部材５３は上記受けロ−ラ２１を上記第１の起上ア−ム１８に取付けた軸２１ａに一体的に取付けられている。
【００３１】
したがって、上記第１の起上ア−ム１８が駆動源１３によって起立方向に回動駆動されることで、第１の起上ア−ム１８の先端、つまり受けロ−ラ２１がレ−ル２２に対して図３に矢印Ａで示す方向に相対的に移動し、その相対的な移動が連結部材５２を介して上記帯状部材４５に伝達されるから、この帯状部材４５は背床板部５ｃの上下面に沿って同図に矢印Ｂで示す方向にスライドする。
【００３２】
上記帯状部材４５が矢印Ｂ方向にスライドすれば、この動きに第１、第２のベルベットファスナ４１、４４を介してマットレス体３１が連動して矢印Ｃ方向へスライドする。したがって、第１の起上ア−ム１８を起立方向に回動させて背床板部５ｃを起上させると、上記マットレス体３１は起上する背床板部５ｃを上昇する方向へ強制的に引張られることになる。
【００３３】
それによって、マットレス体３１は、芯材３２の伸縮部３４が外装地３３とともに伸長されるようになっている。
起上した背床板部５ｃを倒伏方向へ回動させると、受けロ−ラ２１はレ−ル２２に対して矢印Ａと逆方向へ相対的に移動するから、帯状部材４５は上記背床板部５ｃの上下面に沿って矢印Ｂと逆方向にスライドする。したがって、そのときには、上記マットレス体３１は上記背床板部５ｃを下降する、矢印Ｃとは逆方向へ強制的にスライドさせられるから、伸長した伸縮部３４が縮小されることになる。
【００３４】
つまり、マットレス体３１と背床板部５ｃとを結合した一対のベルベットファナ４１、４４および受けロ−ラ２１のレ−ル２２に沿う動きを上記マットレス体３１に伝達する帯状部材４５は、背床板部５ｃの起伏に応じてマットレス体３１の伸縮部３４を伸縮させてその一端部側を背床板部５ｃ上でスライドさせる上記スライド機構を構成している。
【００３５】
つぎに、上記構成のベッド装置の作用について説明する。
まず、利用者Ｕの上半身を起こす場合には、上下フレ−ム３に設けられた駆動装置１１を作動させる。つまり、駆動装置１１の駆動モ−タ源１３を作動させて第１のア−ム１８を矢印で示す反時計方向に回転させる。それによって、第１のア−ム１８に設けられた受けロ−ラ２１は背床板部５ｃの下面に設けられたレ−ル２２に係合しているから、この背床板部５ｃを起上方向へ押上げる。したがって、上記背床板部５ｃ上に位置する利用者Ｕの上半身を起こすことができる。
【００３６】
利用者Ｕの上半身を起こすために、第１のア−ム１８を駆動して背床板部５ｃを起上させると、レ−ル２２に対して受けロ−ラ２１が図３に矢印Ａで示す方向へ転動するから、その動きに連動して帯状部材４５が背床板部５ｃの上下面に沿って矢印Ｂで示す方向へスライドする。
【００３７】
帯状部材４５が矢印Ｂ方向へスライドすれば、この帯状部材４５に連結されたマットレス体３１の上記背床板部５ｃ上に位置する一端側が上昇方向に引張られる。したがって、マットレス体３１は、その伸縮部３４が伸長し、背床板部５ｃ上に位置する一端側が矢印Ｃで示す方向、つまり起上する背床板部５ｃを上昇する方向へ強制的にスライドさせられる。
【００３８】
それによって、マットレス体３１は、利用者Ｕの腰部に対応する腰床板部５ｂ上に位置する部分が強く屈曲されることがなくなる。そのため、利用者Ｕの上半身を起こしたときに、利用者Ｕの腰の部分がマットレス体Ｍによって包み込まれて圧迫されるということがほとんどなくなるから、利用者Ｕは不快感を感じることなく上半身を起こすことができる。
【００３９】
上半身を起こした利用者Ｕが横たわるために、起上状態にある背床板部５ｃを倒伏方向へ回動させると、受けロ−ラ２１はレ−ル２２を矢印Ａと逆方向へ転動する。それによって、帯状部材４５は背床板部５ｃの上下面に沿って矢印Ｂと逆方向にスライドするから、この帯状部材４５のスライドに上記マットレス体３１が連動する。
【００４０】
上記マットレス体３１は背床板部５ｃの倒伏方向への回動に連動してこの背床板部５ｃに沿って下方へ強制的にスライドさせられるから、上記背床板部５ｃがほぼ水平になるまで倒伏すると、マットレス体３１の伸縮部３４は伸長した状態からもとの縮小した状態に戻ることになる。
【００４１】
つまり、マットレス体３１には利用者の荷重が加わるため、背床板部５ｃを単に倒伏させるだけでは、伸長した上記伸縮部３４がもとの状態に戻りにくい。そのため、伸縮部３４はそのスリット３５が開いた伸長状態のままとなるため、利用者に不快感を与えることになるが、上述したようにマットレス体３１を強制的に下方へスライドさせるようにしたことで、背床板部５ｃを倒伏させたときに、その伸縮部３４が強制的に縮小させられる。それによって、伸縮部３４のスリット３５は閉じてもとの状態になるから、利用者Ｕに不快感を与えたり、寝心地の低下を招くのが防止される。
【００４２】
上記一実施の形態では背床板部に設けられるスライド手段を構成する帯状部材の一端部と他端部との間に連結鋼板を介装したが、連結鋼板を設けずに、上記帯状部材だけでル−プ状に形成して連結部材に連結するようにしてもよく、要はスライド手段は背床板部の起伏に応じてマットレス体を伸縮させることができる構成であればよい。
また、マットレス体の芯材として不織布を用いたが、不織布に代わりウレタンフォ−ムなどの弾性材料を用いるようにしてもよい。
【００４３】
【発明の効果】
請求項１の発明によれば、マットレス体を伸縮自在に形成し、可動床板部の起伏に応じて上記マットレス体を伸縮させるようにした。
そのため、背上げ時にマットレス体の一端部が上昇方向に引張られて伸長することで、上記マットレス体の湾曲した部分が利用者の腰部を包み込んで圧迫するのが防止されるから、利用者に不快感を与えることがない。また倒伏時には伸長させられたマットレス体をもとの状態に縮小させることができるため、そのことによっても利用者に不快感を与えたり、寝心地の低下を招くなどのことがない。
【図面の簡単な説明】
【図１】この発明の一実施の形態の全体構成を示す側面図。
【図２】（ａ）は同じくマットレス体の平面図、（ｂ）は同じく外装地の一部を除去した側面図、（ｃ）は芯材の伸縮部が形成された部分の側面図。
【図３】同じくマットレス体をスライドさせるための手段を示す断面図。
【図４】同じく背床板部の部分の斜視図。
【図５】同じくマットレス体の下面側を示す斜視図。
【符号の説明】
３…上下フレ−ム（ベッドフレ−ム）
４…床板体
５ａ〜５ｅ…床板部
１１…駆動装置
３１…マットレス体（マットレス装置）
３２…芯材
３３…外装地
３４…伸縮部
【図１】
0003562940.tif 000002
【図２】
0003562940.tif 000003
【図３】
0003562940.tif 000004
【図４】
0003562940.tif 000005
【図５】
0003562940.tif 000006